(57)【特許請求の範囲】
【請求項１】
起電力及び内部抵抗を有する電力源から値が既知である最大許容電流ＩMのブレーカを介して電力が供給される電力源出力端子に接続して使用されると共に、値が既知である基準負荷を少なくとも備えた電子装置であって、
前記電力源に対して無負荷状態となるようにして、前記電子装置が前記電力源出力端子に接続された際に、前記電力源出力端子の電圧である無負荷電圧ＶOを予め測定して記憶し、
前記電力源に対する負荷が前記基準負荷のみとなるようにして、前記電子装置が前記電力源出力端子に接続された際に、前記電力源出力端子の電圧である基準負荷電圧ＶCを予め測定して記憶し、
他の電力負荷が接続されている前記電力源出力端子に前記電子装置が並列接続された際に、該電力源出力端子における出力電圧ＶUを測定して記憶する電圧測定記憶手段と、
前記基準負荷の値ＺCを予め記憶していると共に、該基準負荷の値ＺC、前記無負荷電圧ＶO、前記基準負荷電圧ＶC、及び、前記出力電圧ＶUを基にして、前記並列接続時における前記電力源に対する総使用消費電力ＰUを演算し、
前記最大許容電流ＩMを予め記憶していると共に、該最大許容電流ＩM、前記基準負荷の値ＺC、前記無負荷電圧ＶO、及び、前記基準負荷電圧ＶCを基にして、前記ブレーカによる電力遮断を伴わずに使用可能な最大許容消費電力ＰMを演算する消費電力演算手段と、
前記最大許容消費電力ＰMから前記総使用消費電力ＰUを減算して、増加可能消費電力ＰRを求める消費電力管理制御手段と、
を備えることを特徴とする電子装置。
【請求項２】
前記消費電力管理制御手段は、前記減算の結果、前記増加可能消費電力ＰRがマイナスになると、警告を発生する請求項１記載の電子装置。
【請求項３】
前記消費電力管理制御手段は、前記減算の結果、前記増加可能消費電力ＰRがマイナスになると、前記電子装置の動作を停止する請求項１又は２記載の電子装置。
【請求項４】
前記電子装置には、単又は複数の内部負荷が備えられており、
前記消費電力管理制御手段は、全ての前記内部負荷の内部負荷最大消費電力ＰCnを予め記憶すると共に、前記内部負荷最大消費電力ＰCnと前記増加可能消費電力ＰRとを比較して、前記内部負荷最大消費電力ＰCnが前記増加可能消費電力ＰRを超えなければ、前記内部負荷への電力供給を許容する請求項１〜３のいずれか１項に記載の電子装置。
【請求項５】
前記消費電力管理制御手段は、前記内部負荷最大消費電力ＰCnと前記増加可能消費電力ＰRとを比較して、前記内部負荷最大消費電力ＰCnが前記増加可能消費電力ＰRを超えると、警告を発生する請求項４記載の電子装置。
【請求項６】
前記基準負荷として、前記内部負荷のいずれかを用いる請求項４又は５記載の電子装置。
【請求項７】
前記基準負荷として、前記内部負荷最大消費電力ＰCnが最も大きい前記内部負荷を用いる請求項６記載の電子装置。
【請求項８】
前記電子装置は、画像形成装置である請求項１〜７のいずれか１項に記載の電子装置。
【請求項９】
前記基準負荷として、前記画像形成装置の定着機構に備えられた加熱ヒータを用いる請求項８記載の電子装置。
【請求項１０】
前記基準負荷として、前記画像形成装置のオプション装置を用いる請求項８記載の電子装置。
【発明の詳細な説明】
【技術分野】
【０００１】
本発明は、電力源からブレーカを介して配線されているコンセント等に接続して使用される画像形成装置等の電子装置に関する。
【背景技術】
【０００２】
従来、画像形成装置等の電子装置は、一般に、商用電源等の電力源からブレーカを介して配線されるコンセント等に接続して使用される。そこで、このコンセント等からブレーカの許容値以上の電流が出力された場合、即ち、このコンセント等に接続された電気機器等が、ブレーカの許容値以上の電力を消費した場合に、火災等の災害防止の観点から、このコンセント等や電力源、或いは、この電力源からコンセント等への配線に用いられている電線やケーブル等を保護するために、ブレーカによりコンセント等への電力供給が遮断される。
【０００３】
そこで、電子装置をこのようなコンセントに接続して使用する場合に、電子装置の最大消費電力が、ブレーカの最大許容電力以下であり、且つ、このコンセントに接続して使用されるのが、当該電子装置だけである場合は、電力供給が遮断されることなく使用することができ、問題はない。
【０００４】
しかし、同一のブレーカに接続されたコンセントに、他の電気機器等が接続されて使用されていることもある。或いは、使用の途中で、他の電気機器等が接続されて使用が開始されることもある。このような場合に、同一のブレーカに接続されたコンセントに接続されている負荷の合計消費電力が、ブレーカの最大許容電力を超えると、使用の途中で電力供給が遮断される事態となる。
【０００５】
そうすると、使用の途中で電力供給が遮断された画像形成装置等の電子装置を、復旧させる必要が生じるが、画像形成装置等の最近の電子装置は、構成が複雑であることから、復旧に手間がかかっていた。
【０００６】
そこで、このような事態が発生しないように、同一の電力源に複数の電子装置を接続して使用する場合に、合計消費電力がブレーカの最大許容電力を超えないようにする仕組みが考案されている（例えば、特許文献１参照）。
【特許文献１】特開平２−１２３９２１号公報
【発明の開示】
【発明が解決しようとする課題】
【０００７】
上記の特許文献１に記載の方法は、同一の電力源に接続される複数の各電子装置が使用中に、使用中信号を電源線に発信し、これを受信回路で受信した他の電子装置が、自らの稼動を抑制しようとする仕組みである。そのため、この仕組みを有効に機能させるためには、同一の電力源に接続される複数の電子装置全てに、使用中信号の発信回路や受信回路を備える必要があり、全ての電子装置に上記のような専用回路を設けることは、現実的ではないことから、実際に上記の仕組みを用いることは困難であった。
【０００８】
そのため、電力源からブレーカを介して配線されるコンセント等に接続して使用される電子装置に対して、電子装置が、電力供給の遮断を回避することが単独で可能な方策が求められていた。
【０００９】
そこで、この発明は、このような要望に対処するためになされたものであって、電力源からブレーカを介して配線されるコンセント等に接続して使用される際に、電力供給の遮断を回避することが、単独で可能な電子装置を提供しようとするものである。
【課題を解決するための手段】
【００１０】
本発明の電子装置は、起電力及び内部抵抗を有する電力源から電力が供給される電力源出力端子に接続して使用されると共に、値が既知である基準負荷を少なくとも備えた電子装置である。上記の電力源出力端子は、例えば、上述したコンセントがこれに該当する。この電子装置は、電圧測定記憶手段と消費電力演算手段とを備えることを特徴としている。
【００１１】
上記の電圧測定記憶手段は、電力源に対して無負荷状態となるようにして、電子装置が電力源出力端子に接続された際に、電力源出力端子の電圧である無負荷電圧ＶOを、予め、測定して記憶する。又、電力源に対する負荷が基準負荷のみとなるようにして、電子装置が電力源出力端子に接続された際に、電力源出力端子の電圧である基準負荷電圧ＶCを、予め、測定して記憶する。そして、電子装置が使用のため、他の電力負荷が接続されている電力源出力端子に並列に接続された際に、該電力源出力端子における出力電圧ＶUを、測定して記憶する機能を備えている。
【００１２】
消費電力演算手段は、予め、上記の基準負荷の値ＺCを記憶していると共に、該基準負荷の値ＺC、上記の無負荷電圧ＶO、上記の基準負荷電圧ＶC、及び、上記の出力電圧ＶUを基にして、電子装置が使用のために電力源出力端子に接続されているときの、電力源に対する総使用消費電力ＰUを演算する機能を備えている。
【００１３】
上記の消費電力演算手段は、次のようにして総使用消費電力ＰUを演算する。上記の電力源の起電力をＥ、内部抵抗の値をＺOとすると、電圧測定記憶手段により、無負荷電圧ＶOが測定されて記憶される。図１は、この無負荷電圧ＶOの測定時の状態を模式的に示した回路図である。この無負荷電圧ＶOの測定及び記憶としては、起電力１がＥ、内部抵抗２の値がＺOの電力源３に対して無負荷状態となるようにして電子装置が電力源出力端子４に接続された際に、電力源出力端子４の電圧である無負荷電圧ＶOが測定されて記憶される。この場合、図１から、下記の式が成立する。
ＶO＝Ｅ  ・・・・・・・・・・・・・・・・・・・(１)
【００１４】
次に、電圧測定記憶手段により、基準負荷電圧ＶCが測定されて記憶される。図２は、この基準負荷電圧ＶCの測定時の状態を模式的に示した回路図である。この基準負荷電圧ＶCの測定及び記憶としては、起電力１がＥ、内部抵抗２の値がＺOの電力源３に対する負荷が、値がＺCの基準負荷のみとなるようにして、電子装置が電力源出力端子４に接続された際に、電力源出力端子４の電圧である基準負荷電圧ＶCが測定されて記憶される。この場合、図２から、下記の式が成立する。
ＶC＝(Ｅ・ＺC)/(ＺO＋ＺC)  ・・・・・・・・・・(２)
又、(１)、(２)から、下記の式が成立する。
ＺO＝ＺC(ＶO−ＶC)/ＶC ・・・・・・・・・・・・(３)
【００１５】
次に、電子装置の使用時に、電圧測定記憶手段により、出力電圧ＶUが測定されて記憶される。図３は、この出力電圧ＶUの測定時の状態を模式的に示した回路図である。この出力電圧ＶUの測定及び記憶としては、電子装置が使用のため、起電力１がＥ、内部抵抗２の値がＺOの電力源３に対する他の電力負荷が接続されている電力源出力端子４に並列に接続された際に、該電力源出力端子４における出力電圧ＶUが測定されて記憶される。尚、図３の回路において、ＺUは、上記の電力源３に対する全負荷の値である。値がＺUであるこの負荷には、負荷としての上記の電子装置も含まれる。この場合、図３から、下記の式が成立する。
ＶU＝(Ｅ・ＺU)/(ＺO＋ＺU)  ・・・・・・・・・・・(４)
ＰU＝ＶU2/ＺU  ・・・・・・・・・・・・・・・・・(５)
又、(１)、(３)、(４)から、下記の式が成立する。
ＺU＝ＺC・ＶU(ＶO−ＶC)/{ＶC(ＶO−ＶU)}  ・・・・(６)
又、(５)、(６)から、下記の式が成立する。
ＰU＝ＶC・ＶU(ＶO−ＶU)/{ＺC(ＶO−ＶC)}  ・・・・(７)
上記の(７)式の右辺は、全て既知の値で構成されているので、(７)式から、総使用消費電力ＰUを求めることができる。このようにして、電子装置が使用のために電力源出力端子４に接続されているときの、電力源３に対する総使用消費電力ＰUが、消費電力演算手段により演算される。
【００１６】
上記の電子装置によれば、この電子装置を使用するために、起電力及び内部抵抗を有する電力源から電力が供給される電力源出力端子にこの電子装置を接続した際における総使用消費電力ＰUが演算される。この総使用消費電力ＰUは、後述するように、この電子装置単独で、この電子装置に対する消費電力の管理及び制御に役立てることができる。
【００１７】
上記の電力源出力端子が、値の既知である最大許容電流ＩMのブレーカを介して、電力源から電力を供給されているような電力源出力端子であると、この電力源出力端子に上記の電子装置が接続される場合、上記の電子装置は、次のような機能を備えるのが好ましい。即ち、上記の消費電力演算手段に、予め、上記のブレーカの最大許容電流ＩMを記憶させておく。そして、この消費電力演算手段により、上記の最大許容電流ＩM、基準負荷の値ＺC、無負荷電圧ＶO、及び、基準負荷電圧ＶCを基にして、ブレーカによる電力遮断を伴わずに使用可能な最大許容消費電力ＰMが演算されるようにするのである。
【００１８】
上記の消費電力演算手段は、次のようにして最大許容消費電力ＰMを演算する。図４は、上記の電子装置が、値の既知である最大許容電流ＩMのブレーカ５を介して、起電力１がＥ、内部抵抗２の値がＺOの電力源３から電力を供給される電力源出力端子４に接続されていると共に、電力源３がブレーカ５の最大許容電流ＩMを流している状態を模式的に表した回路図である。尚、図４の回路において、ＺMは、図４の回路にブレーカ５の最大許容電流ＩMが流れている状態における、上記の電力源３に対する全負荷の値である。値がＺMであるこの負荷には、負荷としての上記の電子装置も含まれる。この図４から、下記の式が成立する。
ＩM＝Ｅ/(ＺO＋ＺM)  ・・・・・・・・・・・・・・(８)
ＰM＝ＩM2・ＺM  ・・・・・・・・・・・・・・・・(９)
又、(１)、(３)、(８)から、下記の式が成立する。
ＺM＝ＶO/ＩM−ＺC(ＶO−ＶC)/ＶC ・・・・・・・・(１０)
又、(９)、(１０)から、下記の式が成立する。
ＰM＝ＩM・ＶO−ＩM2・ＺC(ＶO−ＶC)/ＶC  ・・・・(１１)
上記の(１１)式の右辺は、全て既知の値で構成されているので、(１１)式から、最大許容消費電力ＰMを求めることができる。このようにして、最大許容消費電力ＰMが、消費電力演算手段により演算される。
【００１９】
上記の電子装置によれば、起電力及び内部抵抗を有する電力源から、値の既知である最大許容電流ＩMのブレーカを介して、電力が供給される電力源出力端子に、この電子装置を接続した場合に、上記の電力源に対するブレーカによる電力遮断を伴わずに使用可能な最大許容消費電力ＰMが演算される。この最大許容消費電力ＰMは、後述するように、この電子装置単独で、この電子装置に対する消費電力の管理及び制御に役立てることができる。
【００２０】
ブレーカを介して、電力源から電力を供給される電力源出力端子に接続する上記の電子装置において、最大許容消費電力ＰMから総使用消費電力ＰUを減算して、増加可能消費電力ＰRを求める消費電力管理制御手段を備えるのが、好ましい。又、この消費電力管理制御手段は、上記の減算の結果、増加可能消費電力ＰRがマイナスとなると、警告を発生するようにしてもよい。更に、この消費電力管理制御手段は、上記の減算の結果、増加可能消費電力ＰRがマイナスとなると、電子装置の動作を停止するようにしてもよい。
【００２１】
このようにすることにより、上記の電子装置単独で、この電子装置に対する消費電力の的確な管理及び制御を行うことができる。
【００２２】
上記の電子装置において、次のようにするのが好ましい。即ち、上記の電子装置には、電圧測定記憶手段、消費電力演算手段、及び、消費電力管理制御手段以外に、単又は複数の内部負荷が備えられていると共に、消費電力管理制御手段に、予め、全ての内部負荷の内部負荷最大消費電力ＰCnを記憶させる。
【００２３】
そして、上記の消費電力管理制御手段が、内部負荷最大消費電力ＰCnと増加可能消費電力ＰRとを比較して、内部負荷最大消費電力ＰCnが増加可能消費電力ＰRを超えなければ、内部負荷への電力供給を許容するようにするのである。このようにすることにより、上記の電子装置単独で、この電子装置に対する消費電力の的確な管理及び制御を行うことができる。
【００２４】
又、上記の電子装置において、消費電力管理制御手段は、内部負荷最大消費電力ＰCnと増加可能消費電力ＰRとを比較して、内部負荷最大消費電力ＰCnが増加可能消費電力ＰRを超えと、警告を発生するようにしてもよい。このようにすることにより、上記の電子装置単独で、この電子装置に対する消費電力の的確な管理及び制御を行うことができる。
【００２５】
又、単又は複数の内部負荷を備える上記の電子装置において、上述した基準負荷として、上記の内部負荷のいずれかを用いるようにしてもよい。このようにするのは、上記の基準負荷として、電子装置の構成要素を使用することができ、電子装置の本来の機能に関係のない基準負荷を格別に備える必要がなくなるからである。
【００２６】
又、この基準負荷として、内部負荷最大消費電力ＰCnが最も大きい内部負荷を用いるのが好ましい。このようにするのは、上記の基準負荷としては消費電力が大きい方が、消費電力の演算精度の観点で好ましいからである。
【００２７】
又、上述した電子装置として、画像形成装置を形成することができる。この画像形成装置では、上記の基準負荷として、画像形成装置の定着機構に備えられた加熱ヒータを用いるようにしてもよい。或いは、上記の基準負荷として、画像形成装置のオプション装置を用いるようにしてもよい。上記のオプション装置とは、例えば、後処理装置や、大容量給紙カセット、複数ビン排紙トレイ等である。このようにするのは、画像形成装置の定着機構に備えられた加熱ヒータや上記のオプション装置は、画像形成装置の構成要素としては比較的消費電力が大きいからである。
【発明の効果】
【００２８】
本発明の電子装置によれば、この電子装置は、この電子装置を使用するために起電力及び内部抵抗を有する電力源から電力が供給される電力源出力端子に、この電子装置を接続した際における総使用消費電力ＰUを演算することができる。この総使用消費電力ＰUは、この電子装置単独で、この電子装置に対する消費電力の管理及び制御に役立てることができる。
【００２９】
又、起電力及び内部抵抗を有する電力源から、値の既知である最大許容電流ＩMのブレーカを介して、電力が供給される電力源出力端子にこの電子装置を接続した場合に、この電子装置に最大許容電流ＩMを記憶させることによって、上記の電力源に対するブレーカによる電力遮断を伴わずに使用可能な最大許容消費電力ＰMを演算することができる。この最大許容消費電力ＰMは、この電子装置単独で、この電子装置に対する消費電力の管理及び制御に役立てることができる。
【００３０】
この場合に、最大許容消費電力ＰMから総使用消費電力ＰUを減算して、増加可能消費電力ＰRを求めることができる。又、増加可能消費電力ＰRがゼロ又はマイナスとなると、警告を発生するようにすることができる。更に、増加可能消費電力ＰRがゼロ又はマイナスとなると、電子装置の動作を停止するようにすることができる。従って、本発明の電子装置単独で、この電子装置に対する消費電力の的確な管理及び制御を行うことができる。
【００３１】
又、本発明の電子装置に、単又は複数の内部負荷が備えられている場合、予め、全ての内部負荷の内部負荷最大消費電力ＰCnを記憶させておくことによって、内部負荷最大消費電力ＰCnと増加可能消費電力ＰRとを比較して、内部負荷最大消費電力ＰCnが増加可能消費電力ＰRを超えなければ、内部負荷への電力供給を許容するようにすることができる。又、内部負荷最大消費電力ＰCnが増加可能消費電力ＰRを超えと、警告を発生するようにすることができる。従って、本発明の電子装置単独で、この電子装置に対する消費電力の的確な管理及び制御を行うことができる。
【発明を実施するための最良の形態】
【００３２】
以下、本発明の実施の形態における画像形成装置について、図面を参照しながら詳しく説明する。本実施の形態における画像形成装置は、モノクロの文字や図形等を、スキャナで読取ると共に記録用紙に記録するモノクロ複写機である。図５は、本実施の形態における画像形成装置１０の構成を示した構成図、図６は、この画像形成装置１０の制御部の構成を示したブロック図である。この画像形成装置１０は、電力源からブレーカを介して電力が供給される電源コンセントに接続して使用する際に、このブレーカによる電力遮断が生じないようにするために、この画像形成装置１０の消費電力の管理及び制御を行うことを特徴としている。
【００３３】
最初に、本実施の形態における画像形成装置の構成について説明する。図５において、上記の画像形成装置１０は、モノクロスキャナ部３１とモノクロ画像記録部３２、及び、これらの制御を行う図５に図示されていない制御部３３とで構成されている。
【００３４】
モノクロスキャナ部３１は、原稿を搬送する原稿搬送部と、搬送された原稿に記載されている画像を読取る画像読取部で構成されている。
【００３５】
モノクロ画像記録部３２は、モノクロ画像形成ユニット７０、定着ユニット７３、第１記録用紙収納トレイ４１、第２記録用紙収納トレイ４２、第３記録用紙収納トレイ４３、第４記録用紙収納トレイ４４、水平供給搬送路５１、水平排出搬送路５２、第１垂直搬送路５３、第２垂直搬送路５４、第３垂直搬送路５５、水平帰還搬送路５６、及び、排出収容トレイ５７で構成されている。
【００３６】
モノクロ画像形成ユニット７０には、感光体ドラム７１と加圧ローラ７２とが備えられており、モノクロスキャナ部６で読取られた画像が、この感光体ドラム７１の表面にモノクロ画像として形成されると共に、この感光体ドラム７１の表面に形成されたモノクロ画像が、記録用紙収納トレイ４１，４２，４３，４４のいずれかから、第１垂直搬送路５３又は第２垂直搬送路５４と水平供給搬送路５１を経由して搬送される記録用紙Ｐに転写される。
【００３７】
又、定着ユニット７３は、前述の定着機構に相当し、定着ローラ７４と加圧ローラ７５とで構成されており、記録用紙Ｐに転写された画像を定着する機能を有している。この定着ユニット７３を構成する定着ローラ７４の内部には、定着に必要な熱を発生する加熱ヒータ７６が設けられている。この加熱ヒータ７６は、前述の基準負荷として用いられ、その負荷としての値は、既知である。
【００３８】
上記の定着ユニット７３で定着された記録用紙Ｐは、水平排出搬送路５２を経て排出収容トレイ５７に排出される。尚、第３垂直搬送路５５、及び、水平帰還搬送路５６は、記録用紙Ｐの両面に画像が記録される場合に用いられる。
【００３９】
次に、上記の画像形成装置１０における制御部３３の構成について説明する。図６において、画像形成装置１０の制御部３３は、装置電源部１１、ＣＰＵ１２、メモリ１３、表示部１４、キーボード１５、電圧測定記憶部１６、消費電力管理制御演算部１７、モノクロスキャナ制御部１８、及び、モノクロ画像記録制御部１９で構成されている。この内、モノクロスキャナ制御部１８はモノクロスキャナ部３１と、又、モノクロ画像記録制御部１９はモノクロ画像記録部３２と、それぞれ接続されている。
【００４０】
上記のＣＰＵ１２、メモリ１３、表示部１４、キーボード１５、電圧測定記憶部１６、消費電力管理制御演算部１７、モノクロスキャナ制御部１８、及び、モノクロ画像記録制御部１９は、データバスやアドレスバス等で構成された制御ライン２４で相互に接続されている。又、装置電源部１１は、電源ライン２５で、上記の各部に接続されているほか、モノクロスキャナ部３１及びモノクロ画像記録部３２にも接続されている。
【００４１】
上記の装置電源部１１は、上記の各部に必要な電源を供給する機能を有しており、電源ライン２５は、実際には、電源電圧等の電源の種類に応じて、複数本で構成されている。ＣＰＵ１２は、マイクロコンピュータ等で構成されており、メモリ１３は、ＨＤＤやＲＡＭ、フラッシュメモリ等で構成されている。メモリ１３には、画像形成装置１０の制御に必要な、ＯＳや各種のプログラムが搭載されており、ＣＰＵ１２は、これらのプログラムにより、画像形成装置１０の制御に必要な処理を行う。
【００４２】
表示部１４は、ＬＣＤ等で構成されており、画像形成装置１０の状態や警告等の表示を行う。キーボード１５は、一般的には、テンキーと複数の特殊キー等で構成されており、各種設定に用いられる。電圧測定記憶部１６は、画像形成装置１０に入力される電源の電圧を測定して記憶する機能を有しており、前述の電圧測定記憶手段に相当する。この電圧測定記憶部１６は、一般的な電圧計に備えられているのと同様の電圧測定機構と、バッテリーでバックアップされた小型のマイクロコンピュータ及びメモリを備えており、装置電源部１１からの電源が供給されなくても、電圧の測定や記憶が可能なように構成されている。
【００４３】
消費電力管理制御演算部１７は、消費電力の管理、制御、及び、演算を行う機能を有しており、前述の消費電力演算手段、及び、消費電力管理制御手段に相当する。この消費電力管理制御演算部１７は、小型のマイクロコンピュータ及びメモリを備えており、このメモリに備えられているプログラムにより、消費電力の管理、制御、及び、演算を行う。又、この消費電力管理制御演算部１７に備えられているメモリにはフラッシュメモリ等が使用されており、メモリの電源がＯＦＦ状態でも記憶を保持することができる。又、この消費電力演算部１７は、ＣＰＵ１２とメモリ１３で代用するようにしてもよい。
【００４４】
モノクロスキャナ制御部１８は、モノクロスキャナ部３１と接続されており、このモノクロスキャナ部３１の制御を行う。又、モノクロ画像記録制御部１９は、モノクロ画像記録部３２と接続されており、このモノクロ画像記録部３２の制御を行う。
【００４５】
上記の画像形成装置１０は、図６に示すように、電源コンセント６に挿入される電源プラグ７を先端に備えた電源ケーブルにより電源が供給される。電源プラグ７を備えた電源ケーブルは、３分岐されて、単連スイッチで構成された第１スイッチ(ＳＷ)２１、２連スイッチで構成された第２スイッチ(ＳＷ)２２、及び、同じく、２連スイッチで構成された第３スイッチ(ＳＷ)２３のそれぞれの一端に接続されている。
【００４６】
上記の第１スイッチ(ＳＷ)２１の他端は、電圧測定記憶部１６に接続されている。又、第２スイッチ(ＳＷ)２２の他端の一方は、電圧測定記憶部１６に接続され、他端の他方は、モノクロ画像記録制御部１９における定着ローラ７４の内部に備えられた加熱ヒータ７６に直接接続されている。又、第３スイッチ(ＳＷ)２３の他端の一方は、電圧測定記憶部１６に接続され、他端の他方は、装置電源部１１に接続されている。
【００４７】
即ち、電源プラグ７が電源コンセント６に挿入されて、第１スイッチ(ＳＷ)２１のみがＯＮされると、電圧測定記憶部１６のみに入力電圧が印加される。又、第２スイッチ(ＳＷ)２２のみがＯＮされると、電圧測定記憶部１６、及び、モノクロ画像記録制御部１９における定着ローラ７４の内部に備えられた加熱ヒータ７６に、入力電圧が印加される。又、第３スイッチ(ＳＷ)２３のみがＯＮされると、電圧測定記憶部１６、及び、装置電源部１１に、入力電圧が印加される。上記のスイッチは、後述するこれらのスイッチの使用方法に適合するように、第１スイッチ(ＳＷ)２１及び第２スイッチ(ＳＷ)２２には、押しボタンスイッチ又はスナップスイッチ等を、又、第３スイッチ(ＳＷ)２３には一般的なトグルスイッチ等を用いるのが好ましい。
【００４８】
上記の電源ケーブルに備えられたプラグ７が挿入される電源コンセント６には、図６に示すように、電力源３が、ブレーカ５を介して接続されている。この電力源３は、起電力がＥで、内部抵抗の値がＺOの電力源であり、ブレーカ５は、最大許容電流がＩMのブレーカである。
【００４９】
次に、上記の画像形成装置１０の特徴である消費電力の管理及び制御について説明する。画像形成装置１０では、消費電力管理制御演算部１７のメモリに、図７に示すようなデータテーブルが設けられている。このデータテーブルは、設定値エリア、測定値エリア、及び、演算値エリアの３つのエリアを備えている。
【００５０】
この内、設定値エリアには、装置最大消費電力ＰE欄、装置待機消費電力ＰS欄、加熱ヒータ負荷値ＺC欄、及び、ブレーカ最大許容電流ＩM欄が設けられている。測定値エリアには、無負荷電圧ＶO欄、基準負荷電圧ＶC欄、及び、出力電圧ＶU欄が設けられている。そして、演算値エリアには、総使用消費電力ＰU欄、最大許容消費電力ＰM欄、増加可能消費電力ＰR欄、及び、増加見込消費電力ＰD欄が設けられている。尚、この増加見込消費電力ＰDは、前述の内部負荷を１つとした場合における、前述の内部負荷最大消費電力ＰCnに相当する。
【００５１】
上記の設定値エリアの装置最大消費電力ＰE、装置待機消費電力ＰS、加熱ヒータ負荷値ＺC、及び、ブレーカ最大許容電流ＩMは、画像形成装置１０の制御部３３の表示部１４及びキーボード１５を用いて、設定されるデータである。この内、装置最大消費電力ＰE、装置待機消費電力ＰS、及び、加熱ヒータ負荷値ＺCの設定は、通常、画像形成装置１０の生産工場で行われ、ブレーカ最大許容電流ＩMの設定は、画像形成装置１０が設置される際に、設置者によって行われる。
【００５２】
上記の装置最大消費電力ＰEは、画像形成装置１０の最大消費電力である。装置待機消費電力ＰSは、画像形成装置１０の待機消費電力である。加熱ヒータ負荷値ＺCは、前述の基準負荷として用いられる、上述したモノクロ画像記録制御部１９における定着ローラ７４の加熱ヒータ７６の負荷値(抵抗値又はインピーダンス値)である。ブレーカ最大許容電流ＩMは、画像形成装置１０が接続される電源コンセント６に電力を供給する電力源３のブレーカ５の最大許容電流である。
【００５３】
上記の測定値エリアの、無負荷電圧ＶO、基準負荷電圧ＶC、及び、出力電圧ＶUの測定は、制御部３３の電圧測定記憶部１６により行われ、記憶は、消費電力管理制御演算部１７により行われる。この内、無負荷電圧ＶOは、電力源３に対して無負荷状態となるようにして、画像形成装置１０が電源コンセント６に接続された際の、電源コンセント６における電圧である。即ち、上記の電源コンセント６に、画像形成装置１０のみを無負荷状態で接続した時の電源コンセント６における電圧であり、図６において、電源プラグ７が電源コンセント６に挿入された状態で、第１スイッチ(ＳＷ)２１のみがＯＮされたときの電源コンセント６における電圧である。
【００５４】
基準負荷電圧ＶCは、電力源３に対する負荷が、値がＺCであるモノクロ画像記録制御部１９における定着ローラ７４の加熱ヒータ７６のみとなるようにして、画像形成装置１０が電源コンセント６に接続された際の、電源コンセント６における電圧である。即ち、上記の電源コンセント６に、画像形成装置１０のモノクロ画像記録制御部１９における定着ローラ７４の加熱ヒータ７６のみを接続した時の、電源コンセント６における電圧であり、図６において、電源プラグ７が電源コンセント６に挿入された状態で、第２スイッチ(ＳＷ)２２のみがＯＮされたときの電源コンセント６における電圧である。
【００５５】
出力電圧ＶUは、画像形成装置１０が使用のため、他の電力負荷が接続されている電源コンセント６に並列に接続された際の、この電源コンセント６における出力電圧であり、図６において、電源プラグ７が電源コンセント６に挿入された状態で、第３スイッチ(ＳＷ)２３のみがＯＮされたときの電源コンセント６における電圧である。この電源コンセント６には、他の電力負荷は接続されていなくてもよいが、このような場合には、画像形成装置１０に対する消費電力の管理制御を問題視する必要性が少なくなる。というのは、この場合、電力源３に対する負荷は画像形成装置１０のみとなり、ブレーカ５による電力遮断は、通常では、生じ得ないと考えられるからである。
【００５６】
上記の演算値エリアの、総使用消費電力ＰU、最大許容消費電力ＰM、増加可能消費電力ＰR、及び、増加見込消費電力ＰDの演算は、制御部３３の消費電力管理制御演算部１７により行われる。この内、総使用消費電力ＰUは、画像形成装置１０が使用のため、他の電力負荷が接続されている電源コンセント６に並列に接続された状態における、電力源３に対する総使用消費電力である。この総使用消費電力ＰUは、加熱ヒータ負荷値ＺC、無負荷電圧ＶO、基準負荷電圧ＶC、及び、出力電圧ＶUから、前述の(７)式、即ち、
ＰU＝ＶC・ＶU(ＶO−ＶU)/{ＺC(ＶO−ＶC)}
で演算される。
【００５７】
最大許容消費電力ＰMは、画像形成装置１０が接続される電源コンセント６に電力を供給する電力源３が供給する電流が、ブレーカ５の最大許容電流である場合の、電力源３に対する最大許容消費電力である。つまり、最大許容消費電力ＰMは、電力源３に対するブレーカ５の電力遮断を伴わずに使用可能な最大許容消費電力である。この最大許容消費電力ＰMは、上記の最大許容電流ＩM、加熱ヒータ負荷値ＺC、無負荷電圧ＶO、及び、基準負荷電圧ＶCから、前述の(１１)式、即ち、
ＰM＝ＩM・ＶO−ＩM2・ＺC(ＶO−ＶC)/ＶC
で演算される。
【００５８】
増加可能消費電力ＰRは、画像形成装置１０が接続されている電源コンセント６に、電力を供給する電力源３が供給する電力が、現時点で、電力源３に対するブレーカ５の電力遮断を伴わずに増加可能な消費電力である。この増加可能消費電力ＰRは、上記の最大許容消費電力ＰMから、総使用消費電力ＰUを減算することにより、演算される。
【００５９】
増加見込消費電力ＰDは、電源コンセント６に接続されている画像形成装置１０が待機状態である場合に、この待機状態から動作を開始した場合に、画像形成装置１０が待機状態の消費電力から増加消費する見込みの消費電力である。この増加見込消費電力ＰDは、上記の装置最大消費電力ＰEから、装置待機消費電力ＰSを減算することにより、演算される。
【００６０】
次に、上記の画像形成装置１０の設置時における設定動作、と、運用時における消費電力の管理及び制御動作について説明する。図８は、画像形成装置１０の設置時における設定動作を示したフローチャートであり、図９、図１０は、画像形成装置１０の運用時における消費電力の管理及び制御動作を示したフローチャートである。
【００６１】
まず、画像形成装置１０の設置時における設定動作について説明する。画像形成装置１０では、上述したように、装置最大消費電力ＰE、装置待機消費電力ＰS、及び、加熱ヒータ負荷値ＺCの設定は、通常、画像形成装置１０の生産工場で行われており、消費電力管理制御演算部１７に記憶されているものとする。そして、画像形成装置１０の設定動作を開始するのに際して、最初に、電力源３からブレーカ５を介して接続されている全てのコンセント(上記のコンセント６を含む)に、負荷が全く接続されていないことを確認する。又、画像形成装置１０の制御部３３の第１スイッチ(ＳＷ)２１、第２スイッチ(ＳＷ)２２、及び、第２スイッチ(ＳＷ)２２が、全てＯＦＦになっていることを確認する。
【００６２】
次に、図８において、第１スイッチ(ＳＷ)２１をＯＮ、ＯＦＦするが、まず、ＯＮすると(Ｓ１)、画像形成装置１０の制御部３３の電圧測定記憶部１６により、無負荷電圧ＶOが測定されて記憶される(Ｓ２)。第１スイッチ(ＳＷ)２１がＯＦＦした後(Ｓ３)、第２スイッチ(ＳＷ)２２をＯＮ、ＯＦＦするが、まず、ＯＮすると(Ｓ４)、画像形成装置１０の制御部３３の電圧測定記憶部１６により、基準負荷電圧ＶCが測定されて記憶される(Ｓ５)。
【００６３】
次に、第２スイッチ(ＳＷ)２２がＯＦＦした後(Ｓ６)、第３スイッチ(ＳＷ)２３をＯＮする(Ｓ７)。すると、装置電源部１１に電源が供給されて装置電源部１１が立ち上がり、電源ライン２５を介して画像形成装置１０の各部に必要な電源が供給される(Ｓ８)。そこで、電圧測定記憶部１６は、この電圧測定記憶部１６に記憶されている無負荷電圧ＶO及び基準負荷電圧ＶCを、消費電力管理制御演算部１７に提供し、消費電力管理制御演算部１７がデータテーブルへ記憶する(Ｓ８)。
【００６４】
又、第３スイッチ(ＳＷ)２３がＯＮされた後、画像形成装置１０の設置者等により、画像形成装置１０の制御部３３の表示部１４及びキーボード１５を用いて、ブレーカ最大許容電流ＩMの設定が行われるが、この設定が終了すると(Ｓ９)、消費電力管理制御演算部１７により、最大許容消費電力ＰMが演算されてデータテーブルへ記憶される(Ｓ１０)。又、この消費電力管理制御演算部１７により、増加見込消費電力ＰDが演算されてデータテーブルへ記憶され(Ｓ１０)、画像形成装置１０の設定動作が終了する。
【００６５】
次に、画像形成装置１０の運用時における消費電力の管理及び制御動作について、図９、図１０を参照しながら説明する。ここでは、画像形成装置１０の本来の目的であるモノクロ複写の一連の動作を、運転と称する。又、図９は、主として画像形成装置１０の運転に関する動作を示したフローチャートであり、ＣＰＵ１２が主体となって行われる処理である。又、図１０は、主として画像形成装置１０の消費電力の管理及び制御に関する動作を示したフローチャートであり、消費電力管理制御演算部１７が主体となって行われる処理である。この図９及び図１０のフローチャートの各動作は、同時に並行して処理される。
【００６６】
又、動作表示用のフラグとして、運転指令フラグＦ１、運転許可フラグＦ２、及び、停止指令フラグＦ３が用いられる。運転指令フラグＦ１は、ＣＰＵ１２から、消費電力管理制御演算部１７に対して、画像形成装置１０の運転の開始を指令するとセットされる。又、運転許可フラグＦ２は、消費電力管理制御演算部１７が消費電力の観点から画像形成装置１０の運転を許容できると判断すると、セットされる。又、停止指令フラグＦ３は、消費電力管理制御演算部１７が、ブレーカ５の電力遮断を予想すると、セットされる。
【００６７】
まず、図９に基づいて、画像形成装置１０の運転に関する動作について説明する。画像形成装置１０の最初の状態は、画像形成装置１０の電源ケーブルの電源プラグ７が、電力源３からブレーカ５を介して電力が供給される電源コンセント６に挿入され、第３スイッチ(ＳＷ)２３のみがＯＮされている状態である。この状態は、画像形成装置１０の待機状態である。
【００６８】
この待機状態で、図９において、まず、運転指令フラグＦ１をリセットする(Ｓ２１)。そして、停止指令フラグＦ３をチェックし、停止指令フラグＦ３がセットされていないと(Ｓ２２)、次に、画像形成装置１０の操作者等により原稿搬送部に原稿が提供される等の複写開始操作が行われることにより、画像形成装置１０の運転要求がなされていないかチェックする(Ｓ２３)。運転要求がなされていないと、Ｓ２２へ戻って、上記の処理を繰返し、運転要求がなされるまで待つ。
【００６９】
Ｓ２３で画像形成装置１０の運転要求がなされていると、運転指令フラグＦ１をセットした後(Ｓ２４)、停止指令フラグＦ３をチェックし、停止指令フラグＦ３がセットされていないと(Ｓ２５)、次に、運転許可フラグＦ２をチェックする(Ｓ２６)。運転許可フラグＦ２がセットされていないと、Ｓ２５へ戻って、上記の処理を繰返し、運転許可フラグＦ２がセットされるまで待つ。
【００７０】
Ｓ２６で運転許可フラグＦ２がセットされていると、運転指令フラグＦ１をリセットした後(Ｓ２７)、画像形成装置１０の運転を開始する(Ｓ２８)。そして、停止指令フラグＦ３をチェックし、停止指令フラグＦ３がセットされていないと(Ｓ２９)、画像形成装置１０の運転が終了しているか否かをチェックし(Ｓ３０)、画像形成装置１０の運転が終了していると(Ｓ３０)、運転許可フラグＦ２をリセットして(Ｓ３１)、Ｓ２２へ戻り、上記の処理を繰返す。
【００７１】
尚、上記の、Ｓ２２、Ｓ２５、或いは、Ｓ２９において、停止指令フラグＦ３がセットされていると、画像形成装置１０の制御部３３の表示部１４に、警告として、消費電力オーバによる運転停止を表示すると共に(Ｓ３２)、画像形成装置１０の運転を停止して(Ｓ３３)、画像形成装置１０の運転に関する動作を終了する。
【００７２】
次に、図１０に基づいて、画像形成装置１０の消費電力の管理及び制御に関する動作について、説明する。まず、運転許可フラグＦ２、及び、停止指令フラグＦ３をリセットする(Ｓ４１)。そして、電圧測定記憶部１６が、出力電圧ＶUを測定して記憶すると共に、消費電力管理制御演算部１７に提供する(Ｓ４２)。すると、消費電力管理制御演算部１７は、この出力電圧ＶUをデータテーブルへ記憶すると共に、総使用消費電力ＰU及び増加可能消費電力ＰRを演算する(Ｓ４３)。そして、この増加可能消費電力ＰRが、マイナスか否かをチェックし(Ｓ４４)、増加可能消費電力ＰRがマイナスでないと(Ｓ４４)、運転許可フラグＦ２をチェックする(Ｓ４６)。
【００７３】
運転許可フラグＦ２がセットされていると(Ｓ４６)、Ｓ４２へ戻り、上記の処理を繰返す。運転許可フラグＦ２がセットされていないと(Ｓ４６)、運転指令フラグＦ１をチェックし(Ｓ４７)、運転指令フラグＦ１がセットされていないと(Ｓ４７)、Ｓ４２へ戻り、上記の処理を繰返す。
【００７４】
Ｓ４７で、運転指令フラグＦ１がセットされていると、画像形成装置１０の運転が許容できるか否かを判断するために、上記の増加可能消費電力ＰRを、データテーブルに記憶されている画像形成装置１０の増加見込消費電力ＰDと比較する(Ｓ４８)。その結果、増加見込消費電力ＰDが、増加可能消費電力ＰRを超えると、即ち、増加見込消費電力ＰDが、増加可能消費電力ＰR以下でないと(Ｓ４９)、増加見込消費電力ＰDを現時点で新たに増加させると、電力源３から供給されて消費されている消費電力が、電力源３のブレーカ５の最大許容消費電力ＰMを超えるので、ブレーカ５の電力遮断が予想される。そこで、画像形成装置１０の制御部３３の表示部１４に、警告として、運転開始遅延表示をして(Ｓ５０)、Ｓ４２へ戻り、上記の処理を繰返して、増加見込消費電力ＰDが、増加可能消費電力ＰRを超えない状態になるまで待つ。
【００７５】
Ｓ４９で、増加見込消費電力ＰDが、増加可能消費電力ＰRを超えないと、即ち、増加見込消費電力ＰDが、増加可能消費電力ＰR以下であると、増加見込消費電力ＰDを現時点で新たに増加させても、電力源３から供給されて消費されている消費電力が、電力源３のブレーカ５の最大許容消費電力ＰMを超えないので、ブレーカ５の電力遮断は生じえない。そこで、運転許可フラグＦ２をセットすると共に(Ｓ５１)、運転開始遅延が表示されていると(Ｓ５２)、運転開始遅延表示を消灯して(Ｓ５３)、Ｓ４２へ戻り、上記の処理を繰返す。
【００７６】
尚、上記のＳ４４で、増加可能消費電力ＰRが、マイナスであれば、電力源３から供給されて消費されている消費電力が、電力源３のブレーカ５の最大許容消費電力ＰMを超えており、ブレーカ５の電力遮断が予想されるので、停止指令フラグＦ３をセットして(Ｓ４５)、画像形成装置１０の消費電力の管理及び制御に関する動作を終了する。
【００７７】
上記の画像形成装置１０によれば、この画像形成装置１０を使用するために起電力及び内部抵抗を有する電力源３から電力が供給されるコンセント６に、この画像形成装置１０を接続した際における総使用消費電力ＰUを、演算することができる。この総使用消費電力ＰUは、この画像形成装置１０単独で、この画像形成装置１０に対する消費電力の管理及び制御に、役立てることができる。
【００７８】
又、起電力及び内部抵抗を有する電力源３から、値の既知である最大許容電流ＩMのブレーカ５を介して、電力が供給されるコンセント６に、この画像形成装置１０を接続した場合に、この画像形成装置１０に最大許容電流ＩMを記憶させることによって、上記の電力源３に対するブレーカ５による電力遮断を伴わずに使用可能な最大許容消費電力ＰMを、演算することができる。この最大許容消費電力ＰMは、この画像形成装置１０単独で、この画像形成装置１０に対する消費電力の管理及び制御に、役立てることができる。
【００７９】
この場合に、最大許容消費電力ＰMから総使用消費電力ＰUを減算して、増加可能消費電力ＰRを求めることができる。又、増加可能消費電力ＰRが、マイナスとなると、消費電力オーバの警告を発生することができる。更に、増加可能消費電力ＰRが、マイナスとなると、画像形成装置１０の動作を停止するようにすることができる。従って、上記の画像形成装置１０単独で、この画像形成装置１０に対する消費電力の的確な管理及び制御を行うことができる。
【００８０】
又、上記の画像形成装置１０に、予め、画像形成装置１０の装置最大消費電力ＰEと装置待機消費電力ＰSとを記憶させておくことによって、増加見込消費電力ＰDを演算することにより、この増加見込消費電力ＰDと増加可能消費電力ＰRとを比較して、増加見込消費電力ＰDが増加可能消費電力ＰRを超えなければ、待機状態から運転状態へ許容するようにすることができる。又、増加見込消費電力ＰDが増加可能消費電力ＰRを超えと、警告を発生するようにすることができる。従って、画像形成装置１０単独で、この画像形成装置１０に対する消費電力の的確な管理及び制御を行うことができる。
【００８１】
上記の本実施の形態では、消費電力管理制御演算部１７のメモリに設けられたデータテーブルの設定値エリアに、画像形成装置１０の装置最大消費電力ＰEと、装置待機消費電力ＰSとが記憶される。そして、前述の内部負荷を１つとした場合における、前述の内部負荷最大消費電力ＰCnに相当する増加見込消費電力ＰDが、消費電力管理制御演算部１７により、装置最大消費電力ＰEと、装置待機消費電力ＰSから演算される。即ち、上記の画像形成装置１０では、画像形成装置１０における消費電力の管理及び制御としては、装置最大消費電力ＰEと、装置待機消費電力ＰSとの差である増加見込消費電力ＰDを、画像形成装置１０における消費電力の管理及び制御の対象としている。
【００８２】
しかし、画像形成装置１０における消費電力の管理及び制御の対象としては、上記の場合に限られない。例えば、上記の本実施の形態において、画像形成装置１０を構成するさまざまな構成要素を、前述の複数の内部負荷と捉えて、これらの最大消費電力を消費電力管理制御演算部１７のメモリに設けられたデータテーブルの設定値エリアに記憶する。そして、画像形成装置１０の動作の各工程を細分化して、この工程における増加見込消費電力を演算してデータテーブルの演算値エリアに記憶することにより、画像形成装置１０における消費電力の更にきめ細かい管理及び制御を行うことができる。この場合に、例えば、オプション等を使用している場合に、消費電力の状態によっては、このオプション等の電源をＯＦＦして切離す等の制御をすることもできる。
【００８３】
或いは、データテーブルの設定値エリアに、消費電力の管理及び制御の対象とするデータを記憶し、このデータを用いて消費電力の管理及び制御を行うようにしてもよい。この場合に、データテーブルの設定値エリアには、消費電力の管理及び制御の対象とするデータとして、画像形成装置を構成するさまざまな構成要素を、前述の複数の内部負荷と捉えて、画像形成装置における複数の構成要素の最大消費電力を記憶するようにしてもよい。
【００８４】
又、上記の本実施の形態では、基準負荷として、モノクロ画像記録制御部１９における定着ローラ７４の内部に備えられた加熱ヒータ７６を用いている。しかし、これには限られず、例えば、画像形成装置のオプション装置を用いるようにしてもよい。上記のオプション装置としては、例えば、後処理装置や、大容量給紙カセット、複数ビン排紙トレイ等である。これらのオプション装置は、上記のモノクロ画像記録制御部１９における定着ローラ７４の内部に備えられた加熱ヒータ７６と同様、比較的、消費電力が大きく、上記の基準負荷としてふさわしいと考えられる。
【００８５】
上述した本実施の形態における説明では、電子装置として画像形成装置を用いて説明しているが、本発明の電子装置はこれには限られず、電力源からブレーカを介して配線されているコンセント等に接続して使用される電子装置であれば、どのようなものでも、本発明の対象とすることができる。
【図面の簡単な説明】
【００８６】
【図１】本発明の電子装置に供給される電力源に対する無負荷電圧ＶOの測定回路図である。
【図２】本発明の電子装置に供給される電力源に対する基準負荷電圧ＶCの測定回路図である。
【図３】本発明の電子装置に供給される電力源に対する出力電圧ＶUの測定回路図である。
【図４】本発明の電子装置に供給される電力源に対する最大許容消費電力ＰM消費時の回路図である。
【図５】本実施の形態における画像形成装置の構成を示した構成図である。
【図６】本実施の形態における画像形成装置の制御部の構成を示したブロック図である。
【図７】本実施の形態における画像形成装置で使用されるデータテーブルの構成を示した一覧図である。
【図８】本実施の形態における画像形成装置の設定動作を示したフローチャートである。
【図９】本実施の形態における画像形成装置の消費電力の管理及び制御動作を示したフローチャート(その１)である。
【図１０】本実施の形態における画像形成装置の消費電力の管理及び制御動作を示したフローチャート(その２)である。
【符号の説明】
【００８７】
１  起電力
２  内部抵抗
３  電力源
４  電力源出力端子
５  ブレーカ
６  電源コンセント
７  電源プラグ
１０  画像形成装置
１１  装置電源部
１２  ＣＰＵ
１３  メモリ
１４  表示部
１５  キーボード
１６  電圧測定記憶部
１７  消費電力管理制御演算部
１８  モノクロスキャナ制御部
１９  モノクロ画像記録制御部
２１  第１スイッチ(ＳＷ)
２２  第２スイッチ(ＳＷ)
２３  第３スイッチ(ＳＷ)
２４  制御ライン
２５  電源ライン
３１  モノクロスキャナ部
３２  モノクロ画像記録部
３３  制御部
４１  第１記録用紙収納トレイ
４２  第２記録用紙収納トレイ
４３  第３記録用紙収納トレイ
４４  第４記録用紙収納トレイ
５１  水平供給搬送路
５２  水平排出搬送路
５３  第１垂直搬送路
５４  第２垂直搬送路
５５  第３垂直搬送路
５６  水平帰還搬送路
５７  排出収容トレイ
７０  モノクロ画像形成ユニット
７１  感光体ドラム
７２  加圧ローラ
７３  定着ユニット
７４  定着ローラ
７５  加圧ローラ
７６  加熱ヒータ
【図１】
0004818740.tif 000002
【図２】
0004818740.tif 000003
【図３】
0004818740.tif 000004
【図４】
0004818740.tif 000005
【図５】
0004818740.tif 000006
【図６】
0004818740.tif 000007
【図７】
0004818740.tif 000008
【図８】
0004818740.tif 000009
【図９】
0004818740.tif 000010
【図１０】
0004818740.tif 000011